(57)【特許請求の範囲】
【請求項１】
飲料物を貯留する貯留部と、
前記貯留部に貯留された前記飲料物を外部に注ぎ出す注出口と、
前記注出口に接近する物体を所定の検知範囲で非接触により検知する検知部と、
前記注出口の周囲を照らす注出口照明部と、
前記検知部の検知結果に基づいて、前記注出口照明部を制御する制御部と、
前記注出口に対向し、前記飲料物を受ける受け台と、を備え、
前記制御部は、
前記検知部により前記物体が前記注出口に接近することを検知した場合、前記注出口照明部により前記注出口の周囲を照らし、
前記注出口は、
注出室に設けられ、
前記受け台は、
前記注出室の床部に設けられ、
前記検知部は、
前記注出室の前記床部に設けられ、
前記検知範囲が、前記受け台の受け面よりも鉛直方向における上側であることを特徴とする飲料供給機。
【請求項２】
前記注出口から注ぎ出される前記飲料物を設定するための操作部と、
前記操作部を照らす操作照明部と、を備え、
前記制御部は、
前記検知部により前記物体が前記注出口に接近することを検知した場合、前記操作照明部により前記操作部を照らす請求項１に記載の飲料供給機。
【請求項３】
前記注出口照明部は、
前記飲料物の種類に応じて、発光状態が異なる請求項１又は２に記載の飲料供給機。
【発明の詳細な説明】
【技術分野】
【０００１】
本発明は、飲料供給機に関する。
【背景技術】
【０００２】
従来、飲料供給機は、使用者の操作に応じて水などの飲料物を注出口から容器に注ぎ出す。飲料供給機は、暗い場所で用いられることもあり、使用者の使用の際に注出口を照明で照らすものがある（例えば、特許文献１）。
【先行技術文献】
【特許文献】
【０００３】
【特許文献１】特開２０１３−８６８７４号公報
【発明の概要】
【発明が解決しようとする課題】
【０００４】
しかしながら、飲料供給機は、使用者の使用の際に照明を照らしても注出口を見つけ難いことがあり、さらなる改善の余地がある。
【０００５】
そこで、本発明は、上記に鑑みてなされたものであって、使用者の使用の際に効果的に照明を照らすことができる飲料供給機を提供することを目的とする。
【課題を解決するための手段】
【０００６】
上述した課題を解決し、目的を達成するために、本発明に係る飲料供給機は、飲料物を貯留する貯留部と、前記貯留部に貯留された前記飲料物を外部に注ぎ出す注出口と、前記注出口に接近する物体を所定の検知範囲で非接触により検知する検知部と、前記注出口の周囲を照らす注出口照明部と、前記検知部の検知結果に基づいて、前記注出口照明部を制御する制御部と、前記注出口に対向し、前記飲料物を受ける受け台と、を備え、前記制御部は、前記検知部により前記物体が前記注出口に接近することを検知した場合、前記注出口照明部により前記注出口の周囲を照らし、前記注出口は、注出室に設けられ、前記受け台は、前記注出室の床部に設けられ、前記検知部は、前記注出室の床部に設けられ、前記検知範囲が、前記受け台の受け面よりも鉛直方向における上側であることを特徴とする。
【０００８】
また、上記飲料供給機において、前記注出口から注ぎ出される前記飲料物を設定するための操作部と、前記操作部を照らす操作照明部と、を備え、前記制御部は、前記検知部により前記物体が前記注出口に接近することを検知した場合、前記操作照明部により前記操作部を照らすことが好ましい。
【０００９】
また、上記飲料供給機において、前記注出口照明部は、前記飲料物の種類に応じて、発光状態が異なることが好ましい。
【発明の効果】
【００１０】
本発明に係る飲料供給機は、検知部により物体が注出口に接近することを検知した場合、注出口照明部により注出口の周囲を照らすものである。これにより、飲料供給機は、使用者の使用の際に効果的に注出口に対して照明を照らすことができる。
【図面の簡単な説明】
【００１１】
【図１】図１は、飲料供給機の構成例を示す模式図である。
【図２】図２は、飲料供給機の要部の構成例を示す斜視図である。
【図３】図３は、注出口照射部の構成例を示す斜視図である。
【図４】図４は、飲料供給機の構成例を示すブロック図である。
【図５】図５は、飲料供給機の動作例を示すフローチャートである。
【発明を実施するための形態】
【００１２】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１３】
〔実施形態〕
実施形態に係る飲料供給機について説明する。図１は、飲料供給機の構成例を示す模式図である。図２は、飲料供給機の要部の構成例を示す斜視図である。図３は、注出口照射部の構成例を示す斜視図である。図４は、飲料供給機の構成例を示すブロック図である。図５は、飲料供給機の動作例を示すフローチャートである。
【００１４】
飲料供給機１は、例えば、ウォーターサーバーであり、使用者の操作に応じて飲料水などの飲料物を容器に注ぎ出すものである。飲料供給機１は、図１に示すように、貯留部１０と、供給機本体２０と、注出装置３０と、検知部４０と、操作部５０と、照明部６０と、制御部７０（図４参照）と、図示しないロック機構とを備える。
【００１５】
貯留部１０は、飲料水などの飲料物を貯留する容器である。貯留部１０は、例えば容器内の飲料物が使い果たされた際に、飲料物が貯留された新たな容器に交換して、供給機本体２０に保持又は収容される。本実施形態では、貯留部１０は、供給機本体２０の鉛直方向における上側で保持されるものとして例示する。
【００１６】
供給機本体２０は、貯留部１０の飲料物を注出装置３０に供給するものである。例えば、供給機本体２０は、貯留部１０から流入してきた飲料物を常温で注出装置３０に供給したり、冷やしたり温めたりして注出装置３０に供給する。供給機本体２０は、分配供給路２１と、保冷容器２２Ａと、保温容器２２Ｂと、冷水流路２３Ａと、温水流路２３Ｂと、常温流路２３Ｃとを備える。供給機本体２０は、その筐体２４の内部に分配供給路２１や保冷容器２２Ａ、保温容器２２Ｂなどを収容する。
【００１７】
分配供給路２１は、飲料物の流入側が貯留部１０に接続され、貯留部１０から流入してきた飲料物を分配する。例えば、分配供給路２１は、飲料物の流出側が３つの供給路に分岐され、分岐された供給路が保冷容器２２Ａ、保温容器２２Ｂ、又は、常温流路２３Ｃに接続される。分配供給路２１は、貯留部１０から流入してきた飲料物を保冷容器２２Ａ、保温容器２２Ｂ、又は、常温流路２３Ｃに分配する。
【００１８】
保冷容器２２Ａは、図示しない冷却装置を備えており、使用者などが設定した所定温度に飲料物を冷やして貯留する。保温容器２２Ｂは、図示しない加熱装置を備えており、使用者などが設定した所定温度に飲料物を温めて貯留する。
【００１９】
冷水流路２３Ａは、保冷容器２２Ａに接続され、保冷容器２２Ａ内の冷たい飲料物を注出装置３０に流す。温水流路２３Ｂは、保温容器２２Ｂに接続され、保温容器２２Ｂ内の温かい飲料物を注出装置３０に流す。常温流路２３Ｃは、分配供給路２１を介して貯留部１０に接続され、貯留部１０内の常温の飲料物を注出装置３０に流す。冷水流路２３Ａ、温水流路２３Ｂ、及び、常温流路２３Ｃには、電磁弁２５が設けられる。冷水用の電磁弁２５Ａは、冷水流路２３Ａの下流側に設けられ、冷水流路２３Ａを開放又は遮断する。温水用の電磁弁２５Ｂは、温水流路２３Ｂの下流側に設けられ、温水流路２３Ｂを開放又は遮断する。常温用の電磁弁２５Ｃは、常温流路２３Ｃの上流側に設けられ、常温流路２３Ｃを開放又は遮断する。
【００２０】
供給機本体２０は、筐体２４のフロントパネル２４０に設けられる矩形の開口に意匠パネル２４１が組み付けられる。意匠パネル２４１は、合成樹脂材料などから形成され、平面部２４１ａと、方体状の空間である凹部２４１ｂとを有する。意匠パネル２４１は、平面部２４１ａが鉛直方向の上側に位置し、凹部２４１ｂが鉛直方向の下側に位置する。意匠パネル２４１は、平面部２４１ａに操作部５０が設けられ、凹部２４１ｂに注出室２６が設けられる。意匠パネル２４１の平面部２４１ａは、例えば、操作部５０の周囲が、透明の合成樹脂材料などから形成される。注出室２６は、使用者が注出装置３０から飲料物を注出する際に、容器を位置づける場所である。注出室２６は、意匠パネル２４１の凹部２４１ｂに設けられる矩形の開口２６０と、開口２６０に対向する後壁２６１と、鉛直方向の下側に設けられる床部２６２と、鉛直方向の上側に設けられる天井部２６３と、後壁２６１の両側に設けられる側壁２６４と、によって構成される。注出室２６には、注出装置３０と、受け台２６５と、検知部４０とが設けられる。
【００２１】
注出装置３０は、使用者の操作に応じて供給機本体２０の飲料物を注ぎ出すものである。注出装置３０は、図２及び図３に示すように、注出口３１と、押圧部３２と、囲い部材３３とを備える。注出口３１は、貯留部１０に貯留された飲料物を外部に注ぎ出すものである。注出口３１は、円筒状に形成され、天井部２６３に設けられ、天井部２６３から鉛直方向の下側に突出する。注出口３１は、冷水流路２３Ａ、温水流路２３Ｂ、及び、常温流路２３Ｃに接続される。注出口３１は、鉛直方向の下側に向けて飲料物を注ぎ出す。囲い部材３３は、注出室２６の天井部２６３側から鉛直方向の下側に延在し、天井部２６３から突出した注出口３１を当該注出口３１の周方向に沿って囲う。例えば、囲い部材３３は、注出口３１のフロントパネル２４０側と、注出口３１のサイドパネル２４２側とを囲い、フロントパネル２４０と対向する図示しないバックパネル側は囲わない。囲い部材３３には、常時点灯照明部３３１が設けられる。常時点灯照明部３３１は、例えば、ＬＥＤ照明であり、囲い部材３３の正面側（フロントパネル２４０側）に設けられる。常時点灯照明部３３１は、常に点灯し、注出口３１の位置を暗示する。なお、常時点灯照明部３３１は、設置しなくてもよい。
【００２２】
押圧部３２は、注出口３１から飲料物を注出させたり、注出されている飲料物を停止させたりするスイッチとなるものである。押圧部３２は、押圧板３２０と、図示しないスイッチ回路とを備える。押圧板３２０は、注出室２６の後壁２６１に設けられ、注出口３１の近傍に位置する。押圧板３２０は、供給機本体２０の前後方向に移動可能であり、前後方向の開口２６０側に付勢されている。押圧部３２は、使用者により押圧板３２０が押圧された場合にはスイッチ回路がＯＮし、押圧板３２０が押圧されない場合にはスイッチ回路がＯＦＦする。押圧部３２は、制御部７０に接続され、スイッチ回路がＯＮされた場合には飲料物を注出することを示す注出信号を制御部７０に出力し、スイッチ回路がＯＦＦされた場合には飲料物の注出を停止することを示す注出停止信号を制御部７０に出力する。
【００２３】
受け台２６５は、注出口３１から流れ落ちる飲料物の滴などを受けるものである。受け台２６５は、注出室２６の床部２６２に設けられ、注出口３１と鉛直方向に対向する。受け台２６５は、箱状に形成され、一定の深さを有する。
【００２４】
検知部４０は、注出口３１に接近する物体を非接触により検知するものである。ここで、物体とは、使用者自身や使用者が手に持った容器などである。検知部４０は、例えば、注出室２６の床部２６２に設けられ、受け台２６５と後壁２６１との間に位置する。検知部４０は、例えば、人感センサーであり、使用者の体表面から発せられる赤外線を感知する。また、検知部４０は、超音波やマイクロ波を発して使用者からの反射波を検知してもよい。また、検知部４０は、図示しない電極を備え、当該電極と使用者との間に形成される静電容量の変化を検知してもよい。検知部４０は、使用者の体表面から発せられる赤外線や使用者からの反射波などに基づいて接近する物体を検知する。検知部４０の検知範囲は、受け台２６５の受け面２６５ａよりも鉛直方向における上側である。例えば、検知部４０は、注出室２６の床部２６２に設けられた状態で、超音波やマイクロ波などの出力方向が鉛直方向の上側に指向する。検知部４０は、制御部７０に接続され、検知結果を制御部７０に出力する。例えば、検知部４０は、物体が注出口３１に接近することを検知した場合、検知信号を制御部７０に出力する。
【００２５】
操作部５０は、注出口３１から注ぎ出される飲料物を設定するためのものである。操作部５０は、設定摘み５１と、ロック解除スイッチ５２とを備える。設定摘み５１は、意匠パネル２４１の平面部２４１ａに回動自在に組み付けられる。設定摘み５１は、円柱状の摘みが回動されることにより、常温の飲料物、冷たい飲料物、又は、温かい飲料物を示す種類マーク２４１ｃを選択する。操作部５０は、制御部７０に接続され、設定摘み５１により選択された飲料物の種類を示す種類信号を制御部７０に出力する。
【００２６】
ロック解除スイッチ５２は、設定摘み５１の近傍に設けられる。ロック解除スイッチ５２は、ボタン式のスイッチである。操作部５０は、ロック解除スイッチ５２が一定時間押下されることによりロック機構のロックが解除されたこと示す信号を制御部７０に出力する。ロック解除スイッチ５２の近傍には、ロックがされていることを示すロック表示部５２０が設けられる。ロック表示部５２０は、例えば、ＬＥＤ照明であり、ロック機構によりロックされているか否かに基づいて点灯又は消灯する。例えば、ロック表示部５２０は、設定摘み５１が温かい飲料物に設定されている場合に、ロック機構によりロックされているときには点灯し、ロック機構によりロックがされていないときには消灯する。ロック機構は、温かい飲料物を注ぎ出すことを制限するものである。ロック機構は、設定摘み５１が温かい飲料物に設定されている場合、初期の設定として温かい飲料物を注ぎ出すことを不可とする。ロック機構は、ロック解除スイッチ５２が一定時間押下されてロック解除が行われると、温かい飲料物を注ぎ出すことを許可する。これにより、不用意に温かい飲料物を注ぎ出すことを防止できる。
【００２７】
照明部６０は、例えば、ＬＥＤ（Ｌｉｇｈｔ  Ｅｍｉｔｔｉｎｇ  Ｄｉｏｄｅ）照明であり、注出口３１の周囲及び操作部５０を照らす。照明部６０は、注出口照明部６１と、操作照明部６２とを備える。注出口照明部６１は、注出口３１の周囲に設けられ、図示しない電源に接続される。注出口照明部６１は、電源がＯＮされ、所定の発光色で注出口３１の周囲を照らす。注出口照明部６１は、例えば、注出口３１を囲う囲い部材３３に設けられる。注出口照明部６１は、囲い部材３３の鉛直方向の下側の下端部３３０に沿って線状に設けられる。注出口照明部６１は、鉛直方向の下側から見た場合、コの字形状に形成される。注出口照明部６１は、例えば、同色のＬＥＤ照明を備え、飲料物の種類に関わらず、同色で連続点灯する。注出口照明部６１は、飲料物の種類に応じて、発光状態が異なるようにしてもよい。この場合、注出口照明部６１は、例えば、異なる色に発光するＬＥＤ照明を複数備え、飲料物の種類に応じて異なる色で点灯する。これにより、使用者は、注出口照明部６１の発光色を視認することで、飲料物の種類を確認することができる。
【００２８】
操作照明部６２は、操作部５０の近傍に設けられ、図示しない電源に接続される。操作照明部６２は、電源がＯＮされ、操作部５０を照らす。操作照明部６２は、例えば、意匠パネル２４１の平面部２４１ａの裏面側に設けられ、意匠パネル２４１の裏面側から操作部５０に明かりを照らす。操作照明部６２は、意匠パネル２４１の裏面側から意匠パネル２４１の透明な部分に明かりを照らすことにより、操作部５０に明かりを照らす。これにより、操作照明部６２は、設定摘み５１、種類マーク２４１ｃ、及び、ロック解除スイッチ５２に明かりを照らす。例えば、操作照明部６２は、注出口照明部６１と同様に、飲料物の種類に応じて発光状態が異なるように明かりを照らす。この場合、操作照明部６２は、例えば、異なる色に発光するＬＥＤ照明を複数備え、飲料物の種類に応じて異なる色で点灯する。
【００２９】
制御部７０は、注出装置３０や照明部６０などを制御するものであり、例えばＣＰＵなどで構成された演算処理装置やＲＯＭ、ＲＡＭなどを備える図示しないマイクロプロセッサを主体として構成される。制御部７０は、図４に示すように、飲料物の種類を示す種類信号が操作部５０から出力され、飲料物を注出することを示す注出信号、又は、飲料物の注出を停止することを示す注出停止信号が押圧部３２から出力され、これらの信号に基づいて電磁弁２５を開閉する。例えば、制御部７０は、冷水を示す種類信号、及び、注出信号が出力されたときには冷水用の電磁弁２５Ａを開き、その後、注出停止信号が出力されたときには冷水用の電磁弁２５Ａを閉じる。これにより、飲料供給機１は、冷水流路２３Ａが開放され、保冷容器２２Ａの冷水が注出口３１から注ぎ出され、その後、冷水流路２３Ａが遮断され、注出口３１から注ぎ出される保冷容器２２Ａの冷水が停止する。同様に、制御部７０は、温水を示す種類信号、及び、注出信号が出力されたときには温水用の電磁弁２５Ｂを開き、その後、注出停止信号が出力されたときには温水用の電磁弁２５Ｂを閉じる。これにより、飲料供給機１は、温水流路２３Ｂが開放され、保温容器２２Ｂの温水が注出口３１から注ぎ出され、その後、温水流路２３Ｂが遮断され、注出口３１から注ぎ出される保温容器２２Ｂの温水が停止する。同様に、制御部７０は、常温を示す種類信号、及び、注出信号が出力されたときには常温用の電磁弁２５Ｃを開き、その後、注出停止信号が出力されたときには常温用の電磁弁２５Ｃを閉じる。これにより、飲料供給機１は、常温流路２３Ｃが開放され、貯留部１０の常温水が注出口３１から注ぎ出され、その後、常温流路２３Ｃが遮断され、注出口３１から注ぎ出される貯留部１０の常温水が停止する。
【００３０】
また、制御部７０は、物体が注出口３１に接近することを検知したことを示す検知信号が検知部４０から出力され、当該検知信号に基づいて照明部６０を制御する。例えば、制御部７０は、検知信号が検知部４０から出力された場合、注出口照明部６１及び操作照明部６２を点灯させる。これにより、飲料供給機１は、物体が注出口３１に接近したときに、注出口照明部６１及び操作照明部６２を点灯することができ、注出口３１の周囲や操作部５０を明るくすることができる。制御部７０は、例えば、飲料物の種類に関わらず、注出口照明部６１及び操作照明部６２を同色で連続点灯させる。また、制御部７０は、飲料物の種類に応じて注出口照明部６１を異なる色に発光させてもよい。具体的には、制御部７０は、常温の飲料物の場合には注出口照明部６１を黄色に発光させ、冷水の飲料物の場合には注出口照明部６１を青色に発光させ、温水の飲料物の場合には注出口照明部６１を赤色に発光させる。また、制御部７０は、飲料物の種類に関わらず注出口照明部６１を同色で発光させ、飲料物の種類に応じて注出口照明部６１を点滅させてもよい。例えば、制御部７０は、常温の飲料物の場合には注出口照明部６１を連続点灯させ、冷水の飲料物の場合には注出口照明部６１を一定の間隔で点滅させ、温水の飲料物の場合には注出口照明部６１を冷水の飲料物の点滅よりも短い間隔で点滅させる。なお、飲料物の種類に応じて発光する色や点滅、点灯などは、各飲料物に対して適宜変更可能である。制御部７０は、注出口照明部６１と同様に、飲料物の種類に応じて操作照明部６２を異なる色に発光させてもよいし、飲料物の種類に応じて操作照明部６２を点滅させてもよい。制御部７０は、検知信号が検知部４０から出力されなくなった場合、注出口照明部６１及び操作照明部６２を消灯する。この場合、制御部７０は、検知信号が検知部４０から出力されなくなってから一定時間経過後（例えば、数秒後）に、注出口照明部６１及び操作照明部６２を消灯する。制御部７０は、図示しない照度センサーから飲料供給機１の周囲の明るさを取得し、飲料供給機１の周囲が暗いと判定した場合にのみ、注出口照明部６１及び操作照明部６２を点灯することが好ましい。
【００３１】
次に、飲料供給機１の動作例について説明する。図５は、飲料供給機１の動作例を示すフローチャートである。飲料供給機１の制御部７０は、図５に示すように、検知部４０により物体が注出口３１に接近することを検知したか否かを判定する。例えば、制御部７０は、検知部４０から検知信号が出力されたか否かを判定する。制御部７０は、検知部４０により物体が注出口３１に接近することを検知したと判定した場合（ステップＳ１；Ｙｅｓ）、注出口照明部６１及び操作照明部６２を点灯する（ステップＳ２）。例えば、制御部７０は、検知部４０から検知信号が出力された場合、注出口照明部６１及び操作照明部６２の電源をＯＮにする。次に、制御部７０は、検知部４０による検知が終了したか否かを判定する（ステップＳ３）。例えば、制御部７０は、検知部４０から検知信号が出力されなくなったか否かを判定する。制御部７０は、検知部４０による検知が終了したと判定した場合（ステップＳ３；Ｙｅｓ）、タイマーのカウントを開始する（ステップＳ４）。例えば、制御部７０は、検知部４０から検知信号が出力されなくなった場合、タイマーのカウントを開始する。次に、制御部７０は、一定時間経過したか否かを判定する（ステップＳ５）。例えば、制御部７０は、タイマーの基準値と、ステップＳ４でカウントしたカウント値とを比較し、カウント値が基準値を超えたか否かを判定する。制御部７０は、カウント値が基準値を超えたと判定した場合（ステップＳ５；Ｙｅｓ）、注出口照明部６１及び操作照明部６２を消灯する（ステップＳ６）。例えば、制御部７０は、注出口照明部６１及び操作照明部６２の電源をＯＦＦにする。
【００３２】
なお、上述のステップＳ１において、制御部７０は、検知部４０により物体が注出口３１に接近することを検知していないと判定した場合（ステップＳ１；Ｎｏ）、検知部４０により物体が注出口３１に接近することを検知したか否かの判定を再度行う。例えば、制御部７０は、検知部４０から検知信号が出力されない場合、検知部４０から検知信号が出力されるまで待機する。また、上述のステップＳ３において、制御部７０は、検知部４０による検知が終了していないと判定した場合（ステップＳ３；Ｎｏ）、検知部４０による検知が終了したか否かの判定を再度行う。例えば、制御部７０は、検知部４０から検知信号が出力されている場合、検知部４０から検知信号されなくなるまで待機する。また、上述のステップＳ５において、制御部７０は、カウント値が基準値を超えていないと判定した場合（ステップＳ５；Ｎｏ）、カウント値が基準値を超えているか否かの判定を再度行う。
【００３３】
以上のように、実施形態に係る飲料供給機１によれば、制御部７０は、検知部４０により物体が注出口３１に接近することを検知した場合、注出口照明部６１により注出口３１の周囲を照らす。これにより、使用者は、飲料供給機１の周囲が暗い状態でも、飲料供給機１から飲料物を容器に注ぎ出す前に注出口３１の位置を確認できるので、容器を注出口３１に対して円滑に位置合わせできる。また、使用者は、注出口３１から容器に注ぎ出る飲料物の量を確認できる。従って、使用者は、飲料供給機１の周囲が暗い状態でも、飲料物を容器からこぼすことを抑制できる。また、使用者は、飲料供給機１が設置された部屋が暗い場合、わざわざ部屋の照明をつけて部屋を明るくする必要がない。従来、使用者は、夜中などは家族に気をつかって部屋の照明をつけずに暗い状態で飲料供給機１を使用することがあり、飲料物を容器からこぼすことがあった。これに対して、本発明の飲料供給機１は、検知部４０の検知結果に基づいて自動的に注出口照明部６１を点灯させるので、夜中に使用しても家族に迷惑をかけることがなく、飲料物を容器からこぼすことを抑制できる。
【００３４】
また、検知部４０は、検知範囲が、受け台２６５の受け面２６５ａよりも鉛直方向における上側である。これにより、検知部４０は、例えば、使用者が小動物を飼っている場合、小動物を誤って検知することを防止できる。従って、飲料供給機１は、照明部６０が無駄に点灯することを抑制できる。
【００３５】
また、制御部７０は、検知部４０により物体が注出口３１に接近することを検知した場合、操作照明部６２により操作部５０を照らす。これにより、使用者は、飲料供給機１の周囲が暗い状態でも、飲料供給機１から飲料物を容器に注ぎ出すときに、操作部５０の設定を確認できる。また、使用者は、例えば、飲料物の種類などを変更する場合に、容易に操作部５０を操作できる。
【００３６】
また、注出口照明部６１は、飲料物の種類に応じて、発光状態が異なる。これにより、使用者は、注出口照明部６１の発光状態により飲料物の種類を確認することができる。
【００３７】
〔変形例〕
次に、実施形態の変形例について説明する。検知部４０は、検知範囲が、受け台２６５の受け面２６５ａよりも鉛直方向における上側である例について説明したが、これに限定されない。例えば、検知部４０は、検知範囲が、受け台２６５の受け面２６５ａよりも鉛直方向における下側を含んでもよい。
【００３８】
また、検知部４０は、注出室２６の床部２６２に設ける例について説明したが、これに限定されない。例えば、検知部４０は、注出口３１に接近する物体を検知できればよく、注出室２６の後壁２６１や意匠パネル２４１の平面部２４１ａ、フロントパネル２４０などに設けてもよい。
【００３９】
また、検知部４０は、使用者の動き（モーション）に基づいて、使用者が注出口３１に接近するか否かを検知してもよい。例えば、検知部４０は、使用者が飲料供給機１を横切った場合は使用者を検知せず、使用者が飲料供給機１に近づいてきた場合は使用者を検知する。具体的には、検知部４０は、使用者が飲料供給機１を横切り、使用者を検知した検知時間が基準時間より小さい場合、検知信号を出力しない。また、検知部４０は、使用者が飲料供給機１に近づいて検知時間が基準時間以上の場合、検知信号を出力する。
【００４０】
また、注出口照明部６１は、注出口３１の囲い部材３３に設ける例について説明したが、これに限定されない。例えば、注出口照明部６１は、注出口３１の近傍であればよく、例えば、注出室２６の天井部２６３や側壁２６４、後壁２６１などに設け、注出口３１の周囲を照らしてもよい。
【００４１】
また、操作照明部６２は、意匠パネル２４１の裏面側から操作部５０に明かりを照らす例について説明したが、これに限定されない。例えば、操作照明部６２は、意匠パネル２４１の平面部２４１ａの表面に設け、意匠パネル２４１の表面側から操作部５０に明かりを照らしてもよい。また、操作照明部６２は、設けなくてもよい。
【００４２】
また、制御部７０は、検知信号が検知部４０から出力され、かつ、飲料物が注出口３１から注ぎ出されずに検知信号が検知部４０から出力されなくなった場合、検知信号が検知部４０から出力されなくなってから直ぐに注出口照明部６１及び操作照明部６２を消灯してもよい。これにより、飲料供給機１は、使用者が飲料物を注ぎ出さなかった場合に、注出口照明部６１及び操作照明部６２が無駄に点灯することを抑制できる。
【００４３】
また、制御部７０は、注出口３１から注ぎ出される飲料物の出水量を注出口照明部６１により報知してもよい。例えば、制御部７０は、注水時間をカウントすることで出水量を計測し、出水量が一定量に到達したと判定した場合、注出口照明部６１を点滅するなどして注出口照明部６１の発光状態を変更する。これにより、使用者は、飲料物が容器内に満たされたことを照明により確認できる。
【符号の説明】
【００４４】
１  飲料供給機
１０  貯留部
２０  供給機本体
２６  注出室
２６５  受け台
２６５ａ  受け面
３０  注出装置
３１  注出口
４０  検知部
５０  操作部
６０  照明部
６１  注出口照明部
６２  操作照明部
７０  制御部
【図１】
0006692653.tif 000002
【図２】
0006692653.tif 000003
【図３】
0006692653.tif 000004
【図４】
0006692653.tif 000005
【図５】
0006692653.tif 000006